(57)【要約】【課題】仕掛けがわかりにくく興味を持たせることが可能で、広い購買層を有する玩具を提供する。【解決手段】気密性ならびに膨張性を有する袋体２内に酸性溶液３を封入した小袋４と炭酸水素ナトリウム５とを封入した膨らまし玩具本体６に身体への装着具７を付設した。使用時には、ベルトや紐或いは接着テープなどの装着具７を用いて膨らまし玩具本体６を身体の一部に予め装着しておき、外部からの衝撃により小袋４を破いて酸性溶液３を流出させ、炭酸水素ナトリウム５と反応させることにより炭酸ガスを発生させ、この炭酸ガスにより袋体２を膨らませて被着具の一部を膨らましたり、被着具から膨らまし玩具本体６を膨出させたりすることにより意外性と興味とを発揮させる。特に、袋体２を乳房型、ペニス型として胸部や股間部に装着する場合にはより興味を発揮させることができる。【選択図】        図１
2004344302.tif 000002
【特許請求の範囲】
【請求項１】
気密性ならびに膨張性を有する袋体内に酸性溶液を封入した小袋と炭酸水素ナトリウムとを封入した膨らまし玩具本体に身体への装着具を有することを特徴とする膨らまし玩具。
【請求項２】
前記袋体が乳房型である請求項１記載の膨らまし玩具。
【請求項３】
前記装着具がブラジャー型である請求項２記載の膨らまし玩具。
【請求項４】
前記袋体がペニス型である請求項１記載の膨らまし玩具。
【請求項５】
前記装着具がベルトである請求項４記載の膨らまし玩具。
【請求項６】
前記装着具が紐である請求項１，２または４記載の膨らまし玩具。
【請求項７】
前記装着具が接着テープである請求項１，２または４記載の膨らまし玩具。
【発明の詳細な説明】
【０００１】
【発明の属する技術分野】
本発明は、膨らまし玩具、殊に身体への装着を目的とした膨らまし玩具に関するものである。
【０００２】
【従来の技術】
従来、気密性ならびに膨張性を有する袋体内に酸性溶液を封入した小袋と炭酸水素ナトリウム（重曹）とを封入し、衝撃を与えることなどにより前記小袋を破いて酸性溶液を流出させ、重曹と反応させることにより炭酸ガスを発生させ、この炭酸ガスにより気密性の袋を膨らませて遊ぶ膨らまし玩具が知られており、例えば実用登録３００７０７０号公報、特開平８−５２２８１号公報などに提示されている。
【０００３】
これらの公報に提示されている膨らまし玩具は、膨らむ前には想像しなかった意外性のある形状に変化することにより、子供以外にも受け入れられる要素を有し、広い購買層を獲得することを目的としたものである。
【０００４】
【発明が解決しようとする課題】
ところが、前記公報に提示されている膨らまし玩具は、変哲の無い容器から動物やキャラクターの形をした人形型の膨らまし具が突然出現するものである。
【０００５】
従って、通常は個人が飛び出した形状や表示によりストレスを解消したり少人数でゲームを楽しむものであり、充分な興味を得ることができず、特に、多数の人が集う宴会やパーティなどにおいて楽しむことができないものであった。
【０００６】
本発明は、斯る実情に鑑みてなされたものであって、従来の膨らまし玩具に比べて仕掛けがわかりにくく興味を持たせることが可能で、宴会やパーティなどの利用分野を有し、広い購買層を有する膨らまし玩具を提供することを課題とするものである。
【０００７】
【課題を解決するための手段】
前記課題を解決するため、本発明は、気密性ならびに膨張性を有する袋体内に酸性溶液を封入した小袋と炭酸水素ナトリウムとを封入した膨らまし玩具本体に身体への装着具を付設した。
【０００８】
ベルトや紐或いは接着テープなどの装着具を用いて膨らまし玩具本体を身体の一部に予め装着しておき、外部からの衝撃により小袋を破いて酸性溶液を流出させ、重曹と反応させることにより炭酸ガスを発生させ、この炭酸ガスにより気密性の袋を膨らませて被着具の一部を膨らましたり、被着具から膨らまし玩具本体を膨出させたりすることにより意外性と興味とを発揮させる。
【０００９】
特に、膨らまし玩具本体を形成する袋体を乳房型、ペニス型として胸部や股間部に装着する場合にはより興味を発揮させることができる。
【００１０】
【発明の実施の形態】
図１は本発明の好ましい実施の形態を示すものであり、膨らまし玩具１は、例えば、従来周知のゴム風船のように気密性ならびに膨張性を有する適宜の大きさと形状を有する袋体２内に、クエン酸等のように金属炭酸塩と化学反応して安定な金属塩を生じるとともに、生理学的に毒性がなく、気化しても人体に吸引されないような安全性に優れた酸性溶液３を封入し、この酸性溶液３を塩化ビニルやポリエチレンのような機械的な衝撃や破壊行為により比較的簡単に破け易い薄手の防水性を有するシート材により形成された小袋４に封入した。さらに、粉状或いは塊状の炭酸水素ナトリウム（重曹）５を封入した膨らまし玩具本体６に接着テープからなる身体への装着具７を有する。
【００１１】
本実施の形態である膨らまし玩具１を製造するには、図２（ａ）に示すように、まず、水３１（５ｇ）にクエン酸３２（２ｇ）を溶解させた酸性溶液３を小袋４内に収容するとともに入り口に熱着シールを施して封入しておく。
【００１２】
次いで、図２（ｂ）に示すように、袋体２内に６ｇの粉末状の炭酸水素ナトリウム（重曹）５と前記酸性溶液３を収容した小袋４とを端部に形成した開口部２１を拡開させて（図示せず）収容した後、首部２２を例えば輪ゴムのような結束具８を用いて或いは袋体２の口部を結んで（図示せず）封入して膨らまし玩具本体６を形成し、更に、前記図１に示したように首部２２付近に身体への装着具７を付設する。
【００１３】
前述のようにして形成された本実施の形態を使用するには、例えば図３または図４に示すように、身体の胸部や股間部に装着具７により、例えば下着の上から貼着して支持し、その上から上着やズボンを着用する。
【００１４】
そして、装着者本人または他人が上着やズボンの上から身体に装着している膨らまし玩具１を掴んで、小袋４を押し破り内部に収容されている酸性溶液３を流出させると、流出した酸性溶液３が袋体２内に収容されている炭酸水素ナトリウム（重曹）５と化学反応を起こし、約５００ｃｃの炭酸ガス（二酸化炭素ガス）が発生する。
【００１５】
そのため、膨らまし玩具本体６の外側を構成する袋体２が膨らんで、あたかも乳房やペニスが急に膨張したか如き外形となり、異常に気付いた周囲にいる人々の注目を集め、興味を引くことになる。
【００１６】
尚、本実施の形態は、反応物質としていずれも食品として認可されている酸性溶液３であるクエン酸および炭酸水素ナトリウム（重曹）５を用いたので、反応前はもちろんのこと、反応後のクエン酸ナトリウム、炭酸ガス、水についても誤って口に入れたとしても何らの問題がないので極めて安全である。
【００１７】
また、本実施の形態は、袋体２として市販の風船を、小袋４として汎用的に市販されている小型のビニル袋等を原材料として使用することが可能であり経済的にも優れている。
【００１８】
更に、本実施の形態の使用方法として、上着やズボンの内側に装着したが、上着やズボンの上に装着してもよく、更に、装着具７も接着テープに限らず、紐であったり、ベルトであったり、更にはブラジャーそのものであったりしてもよい。
【００１９】
図５は本発明の異なる実施の形態を示すものであり、全体の構成は前記図１に示した実施の形態とほぼ同様であるが、袋体２が乳房型を呈している点が異なる。
【００２０】
本実施の形態は膨らませる前の状態で、裏面に付設した接着テープにより、身体の胸の部分に装着し、或いは、図６（ａ）に示すように乳宛部の前面に切れ目７１，７１を形成したブラジャー型の装着具７内に収容することにより、身体に装着する。
【００２１】
本実施の形態も、前記実施の形態と同様に、袋体２の部分を掴んで内部に収容された小袋４を押し破って発生させた炭酸ガスにより袋体２を膨らませるものである。
【００２２】
特に、図６（ａ）に示した実施の形態については、図６（ｂ）に示すように、紙材、塩化ビニル製フィルム、布などにより形成された乳宛部の前面に施された切れ目７１，７１を破って内部に収容された乳房形の袋体２が突出してくるので、更に強烈な印象を観者に与えることができる。
【００２３】
図７は袋体２を乳房形とした実施の形態についての異なる例を示すものであり、袋体２が左右両側の乳房を形取っており、両側に形成した乳房の部分２３，２３にそれぞれ炭酸水素ナトリウム（重曹）５と酸性溶液３を収容した小袋４とが収容されている。この実施の形態では、袋体２の両端に付設された紐からなる装着具７が設けられている。尚、本実施の形態についての使用方法などは前記実施の形態とほぼ同様であり、特に、着衣の上側または下側に装着するかは問わずに効果が得られる。
【００２４】
また、図８に示すものは本発明の更に異なる実施の形態を示すものであり、全体の構成並びに作用・効果は前記実施の形態とほぼ同様であるが、袋体２が細長いペニス型を呈している点が異なる。
【００２５】
本実施の形態は図９（ａ）に示すように上部に付設された接着テープである装着具７により下着の下腹部の部分に装着しておき、前記実施の形態と同様に袋体２内の小袋４を押し破って袋体２を膨らませて楽しむものである。特に本実施の形態はズボンの下に装着しておくことにより、最初はわからないので膨らんだときに極めて大きな効果を発揮させることができ、膨らんだ時には図９（ｂ）に示すようにズボンの前あき部分から露出させることもできる。
【００２６】
更にまた、図１０（ａ）は本発明の更に異なる実施の形態に関するものであり、前記図１０に示した同様の膨らまし玩具本体１か６を有しているが、装着具７がベルト状である点が異なる。
【００２７】
本実施の形態は、例えば図１０（ｂ）に示すようにズボンの上からまたは下にベルト状の装着具７を介して装着するものであり、膨らませ方などは前記実施の形態とほぼ同様である。
【００２８】
上述した本発明の実施の形態は、いずれも乳房型或いはペニス型を基本としたものであり、特に、大人が開催する宴会やパーティなどに適するものとしたが、本発明はこれらに限るものでなく、また、装着具７の形態や身体の装着箇所も適宜選択し、更には袋体２の形状を例えば漫画化したりキャラクター物にするなども可能であり、子供たちにも興味のある膨らまし玩具１を提供することができるものである。
【００２９】
更にまた、前記各実施の形態では酸性溶液３として安全なクエン酸を用いたので保管や運搬時に流出したとしても何ら問題を生じることがない。また、興味が高じて膨らませた後に袋体２を破損させて内部の反応液が周囲に飛散しても、ただ拭き取ってそのまま廃棄するか、洗い流すだけでよく極めて便利である。更に、膨らました後に、袋体２を破くことを想定した場合には袋体２内または小袋４内に食品衛生上安全と認められている粉体や、液体の顔料や香料を収容しておくことにより、反応液が色彩や芳香を帯びることになり、更に興味ある商品とすることもできる。
【００３０】
【発明の効果】
以上のように本発明は、身体への装着具を設けたことにより多くの人に興味を与え、従来にはない膨らまし玩具としての商品価値を有し、特に、前記膨らまし玩具本体を構成する袋体を乳房型やペニス型とすることにより、更には、これらの膨らまし玩具の身体への装着具を工夫することにより、大人の宴会やパーティ等のグッズとしての商品価値を発揮するものである。
【００３１】
勿論、本発明は一般に市販されている安価な原材料を用いて多量に製造することができるので経済的で有利であることは言うまでもなく、使い捨てとしての価格で販売することもでき、また、使用後の処理も簡単で環境衛生面でも優れている。
【図面の簡単な説明】
【図１】本発明の好ましい実施の形態の一例を示す一部を切欠いた斜視図。
【図２】図１に示した実施の形態の製造手順を示す概略図。
【図３】図１に示した実施の形態の使用状態を示す説明図。
【図４】図１に示した実施の形態の異なる使用状態を示す説明図。
【図５】本発明の異なる実施の形態を示す正面図並びに縦断面図。
【図６】図５に示した実施の形態の異なる使用方法を示す説明図。
【図７】本発明の更に異なる実施の形態についての使用状態を示す説明図。
【図８】本発明の更に異なる実施の形態を示す正面図。
【図９】図８に示した実施の形態についての使用状態を示す説明図。
【図１０】本発明の更にまた異なる実施の形態を示す説明図。
【符号の説明】
１  膨らまし玩具、２  袋体、３  酸性溶液、４  小袋、５  炭酸水素ナトリウム、６  膨らまし玩具本体、７  装着具
【図１】
2004344302.tif 000003
【図２】
2004344302.tif 000004
【図３】
2004344302.tif 000005
【図４】
2004344302.tif 000006
【図５】
2004344302.tif 000007
【図６】
2004344302.tif 000008
【図７】
2004344302.tif 000009
【図８】
2004344302.tif 000010
【図９】
2004344302.tif 000011
【図１０】
2004344302.tif 000012